(57)【要約】      （修正有）【課題】大きな容量であるとともにコンパクトに折り畳める害鳥除けゴミ箱を提供する。【解決手段】箱体２及び蓋体３は、箱体２の内側を視認可能に構成され、箱体２は、底面部と、底面部に立設する前面部２０と、前面部２０に対向する後面部３０と、前面部２０及び後面部３０に連設し相互に対向して設けられた一対の側面部４０、５０と、を有し、蓋体３は、開口部５を覆う状態及び開放する状態の間で移動可能に後面部３０に設けられる。底面部は、後面部３０の下端側に後面部３０に対して移動可能に設けられ、一対の側面部４０、５０は、箱体２の内側に移動し、一対の側面部４０、５０の中途に底面部に略垂直に設けられたヒンジ部４５、５５が区画する前側部と後側部の外周側が向き合うように折り畳み可能に設けられ、折り畳んだ状態において、蓋体３は、箱体２を折り畳んだ状態に保持する。【選択図】図２
0003231297.tif 000002
【実用新案登録請求の範囲】
【請求項１】
折り畳み可能な害鳥除けゴミ箱であって、
開口部を有する箱体と、前記開口部を覆う蓋体と、を有し、
前記箱体及び前記蓋体は、前記箱体の内側を視認可能に構成され、
前記箱体は、底面部と、前記底面部に立設する前面部と、前記底面部に立設し前記前面部に対向する後面部と、前記底面部に立設し前記前面部及び前記後面部に連設し相互に対向して設けられた一対の側面部と、を有し、
前記開口部は、前記底面部に対向して設けられ、
前記蓋体は、前記開口部を覆う状態及び前記開口部を開放する状態の間で移動可能に前記後面部の上端側に設けられ、一対の前記側面部の上側に沿って前記開口部を覆い、
前記底面部は、前記後面部の下端側に前記後面部に対して移動可能に設けられ、
一対の前記側面部は、前記底面部に略垂直な前後の端部を起点として前記箱体の内側に移動し、一対の前記側面部の前後方向の中途に前記底面部に略垂直に設けられたヒンジ部が区画する前側部と後側部の外周側が向き合うように折り畳み可能に設けられ、
折り畳んだ状態において、
前記蓋体は、前記箱体を折り畳んだ状態に保持することを特徴とする害鳥除けゴミ箱。
【請求項２】
前記箱体は、前記箱体を折り畳んだ状態に保持するように前記蓋体を係止する係止部を有することを特徴とする、
請求項１に記載の害鳥除けゴミ箱。
【請求項３】
前記蓋体は、前記開口部を覆う状態及び前記開口部を開放する状態の間で移動可能に前記前面部の上端側に設けられていることを特徴とする、
請求項１又は請求項２に記載の害鳥除けゴミ箱。
【請求項４】
前記底面部は、前記前面部の下端側に前記前面部に対して移動可能に設けられていることを特徴とする、
請求項１から請求項３のいずれか１項に記載の害鳥除けゴミ箱。
【考案の詳細な説明】
【技術分野】
【０００１】
本考案は、家庭等で発生した生ゴミを含むゴミを、ゴミ収納袋に入れた状態でゴミ収集場所に置く場合に使用する害鳥除け用の折り畳み式のゴミ箱に関するものである。
【背景技術】
【０００２】
家庭から排出される生ゴミ等の一般ゴミは、通常各家庭でゴミ袋に袋詰めされ、指定された回収日時までに所定の場所に置いておくことで、ゴミ回収業者等によって回収される。近年、ゴミ回収場所において、カラス等の害鳥や猫等の動物がゴミ袋を破り、ゴミが散乱する被害が多発している。このような事態は、悪臭の発生等衛生上好ましくないばかりでなく、ゴミ回収の作業効率の低下や、回収後の住民等による清掃作業の負担を招いている。
【０００３】
このような害鳥等による被害の発生を防ぐために、ゴミが入ったゴミ袋を害鳥等がつついたり咬んだりすることができないように収容する折畳式のゴミ箱が特許文献１に開示されている。
【先行技術文献】
【特許文献】
【０００４】
【特許文献１】特開２０１９−１３５１９４号公報
【考案の概要】
【考案が解決しようとする課題】
【０００５】
特許文献１に記載された折畳式ゴミ袋収容器は、上下方向に伸縮自在な圧縮コイルばねを被覆布で包んでなる骨格体に、圧縮コイルばねが自然長であるときの骨格体の形状に合わせて下端側および周面側を塞ぐように網体を縫着してなるものであって、上端側にゴミ袋を投入するための開口部を有する有底円筒形状に形成され、圧縮コイルばねの弾性によって高さ方向に伸縮自在とされているものである。
【０００６】
しかしながら、上記のような従来技術では、有底円筒形状の収容器を上下方向に折り畳み、その断面が円筒形状の大きさのまま折り畳むものである。このため、収容器の容量を大きくするために大きな直径の収容器にする場合には、折り畳んだ状態も大きな直径になってしまいコンパクトにならない。一方、折り畳んだ状態をコンパクトにする場合には、小さな直径の収容器となるため、収容器の容量も小さくなるという問題があった。
【０００７】
そこで、本考案は、大きな容量であるとともにコンパクトに折り畳むことができる害鳥除けゴミ箱を提供することを目的とする。
【課題を解決するための手段】
【０００８】
本考案は、上記目的を達成するために以下によって把握される。
（１）本考案の害鳥除けゴミ箱は、折り畳み可能な害鳥除けゴミ箱であって、開口部を有する箱体と、前記開口部を覆う蓋体と、を有し、前記箱体及び前記蓋体は、前記箱体の内側を視認可能に構成され、前記箱体は、底面部と、前記底面部に立設する前面部と、前記底面部に立設し前記前面部に対向する後面部と、前記底面部に立設し前記前面部及び前記後面部に連設し相互に対向して設けられた一対の側面部と、を有し、前記開口部は、前記底面部に対向して設けられ、前記蓋体は、前記開口部を覆う状態及び前記開口部を開放する状態の間で移動可能に前記後面部の上端側に設けられ、一対の前記側面部の上側に沿って前記開口部を覆い、前記底面部は、前記後面部の下端側に前記後面部に対して移動可能に設けられ、一対の前記側面部は、前記底面部に略垂直な前後の端部を起点として前記箱体の内側に移動し、一対の前記側面部の前後方向の中途に前記底面部に略垂直に設けられたヒンジ部が区画する前側部と後側部の外周側が向き合うように折り畳み可能に設けられ、折り畳んだ状態において、前記蓋体は、前記箱体を折り畳んだ状態に保持する。
（２）上記（１）において、前記箱体は、前記箱体を折り畳んだ状態に保持するように前記蓋体を係止する係止部を有する。
（３）上記（１）又は（２）において、前記蓋体は、前記開口部を覆う状態及び前記開口部を開放する状態の間で移動可能に前記前面部の上端側に設けられている。
（４）上記（１）から（３）のいずれかにおいて、前記底面部は、前記前面部の下端側に前記前面部に対して移動可能に設けられている。
【考案の効果】
【０００９】
本考案によれば、大きな容量であるとともにコンパクトに折り畳むことができる害鳥除けゴミ箱を提供することができる。
【図面の簡単な説明】
【００１０】
【図１】本考案の実施形態に係る害鳥除けゴミ箱の斜視図である。
【図２】本考案の実施形態に係る害鳥除けゴミ箱の蓋体を開いた状態の斜視図である。
【図３】本考案の実施形態に係る害鳥除けゴミ箱の折り畳み方法を示す斜視図である。
【図４】本考案の実施形態に係る害鳥除けゴミ箱の折り畳み方法を示す斜視図である。
【図５】本考案の実施形態に係る害鳥除けゴミ箱の折り畳み方法を示す斜視図である。
【図６】本考案の実施形態に係る害鳥除けゴミ箱の折り畳み方法を示す斜視図である。
【図７】本考案の実施形態に係る害鳥除けゴミ箱の折り畳み方法を示す斜視図である。
【図８】本考案の実施形態に係る害鳥除けゴミ箱の折り畳み方法を示す斜視図である。
【図９】本考案の実施形態に係る害鳥除けゴミ箱の折り畳み方法を示す斜視図である。
【図１０】本考案の実施形態に係る害鳥除けゴミ箱の折り畳み方法を示す斜視図である。
【考案を実施するための形態】
【００１１】
以下、添付図面を参照しながら各実施形態について詳細に説明する。
なお、実施形態の説明の全体を通して同じ要素には同じ番号又は符号を付している。
【００１２】
図１は、本考案の実施形態に係る害鳥除けゴミ箱１の斜視図であり、箱体２を蓋体３で覆った状態を示している。
図１を用いて、本実施形態に係る害鳥除けゴミ箱１を説明する。
なお、図１において、前後、上下、左右の各方向を矢印で示している。以下、特に説明がない場合には、各図において同様である。
【００１３】
図１において示すように、本実施形態に係る害鳥除けゴミ箱１は、箱体２が、底面部１０と、底面部１０に立設する前面部２０と、底面部１０に立設し前面部２０に対向する後面部３０と、底面部１０に立設し前面部２０及び後面部３０に連設し相互に対向して設けられた一対の側面部である、第１側面部４０と、第２側面部５０と、を有している。そして、箱体２の上部を蓋体３が覆っている。
【００１４】
図２は、本考案の実施形態に係る害鳥除けゴミ箱１の蓋体３を開いた状態の斜視図である。図２において、箱体２は、上方に、底面部１０に対向して設けられた開口部５が開いている。この開口部５によって、各家庭でポリエチレン製等のゴミ袋に袋詰めされたゴミが収納され、ゴミ回収業者等によって回収される。
【００１５】
箱体２において、前面部２０は、外周を枠材２２で囲まれ、例えば、これに網状に構成されたシート材を全面に設けた構造になっている。同様に、後面部３０は、外周を枠材３２で囲まれ、これに、例えば、網状に構成されたシート材を全面に設けた構造になっている。一対の側面部である、第１側面部４０と、第２側面部５０は、全面をシート材で構成され、前面部２０及び後面部３０に連接されている。なお、前面部２０、後面部３０及び第１側面部４０、第２側面部５０を連続した１枚のシート材で構成してもよい。この場合でも、前面部２０は、外周を枠材２２で囲まれ、後面部３０は、外周を枠材３２で囲まれるようにして、箱体２の強度を確保することが望ましい。
【００１６】
害鳥除けゴミ箱１は、蓋体３、前面部２０又は一対の側面部である第１側面部４０、第２側面部５０の少なくともいずれか一つが、網状に構成されていてもよい。このようにすることで、箱体２及び蓋体３は、蓋体３が開口部５を覆う状態及び開口部５を開放する状態において、害鳥除けゴミ箱１の外部から箱体２の内側を視認可能になり、ゴミの収納状態を外部から確認することができる。また、害鳥除けゴミ箱１の中の換気をすることができる。また、蓋体３、前面部２０又は一対の側面部である第１側面部４０、第２側面部５０の少なくともいずれか一つが、透明な部分を有するように構成してもよい。このようにすることで、網状にした場合と同様に、害鳥除けゴミ箱１の外部から箱体２の内側を視認可能になる。
【００１７】
箱体２は、上部の縁部において、前面部２０の芯材２４、後面部３０の芯材３４、第１側面部４０の前芯材４１及び後芯材４２、第２側面部５０の前芯材５１及び後芯材５２を設けてもよい。これにより、箱体２の強度を向上させることができる。芯材２４などは、シート材に縫い合わせてもよく、接着してもよい。
【００１８】
図２において、箱体２は、前面部２０、後面部３０に枠材２２、３２を設けるとともに、下側は、底面部１０などにより矩形を保持し、芯材２４、３４、４１、４２、５１、５２を連接することで、上部の縁部の強度を確保して箱形をより強く保持している。ただし、芯材２４などは必須ではなく、例えば、シート材の強度を強くすることでもよい。
【００１９】
蓋体３は、図１に示す開口部５を覆う状態及び図２に示す開口部５を開放する状態の間で移動可能に後面部３０の上端側に設けられている。すなわち、図１に示すように、箱体２の開口部５を覆った状態と、図２に示すように、開口部５を開放した状態にすることができる。図１、図２において、蓋体３は、柔らかいシート材で構成されているように示しているが、これに限定されず、剛性のある板材で構成してもよい。また、蓋体３は、一対の側面部である第１側面部４０、第２側面部５０の上側に沿って開口部５を覆うように形成されている。このようにすることで、開口部５を確実に覆い、害鳥等が箱体２の内側のゴミをつついたり咬んだりすることを確実に防止することができる。
【００２０】
蓋体３は、図２で示すように、例えばその端部に、被係止部３ａが設けられている。一方、前面部２０の上方の左右方向中央付近には、係止部２５が設けられている。図１に示す、箱体２を蓋体３で覆った状態において、被係止部３ａが係止部２５に係止されて、この状態を保持している。係止部２５、被係止部３ａは、例えば、マジックテープ（登録商標）、スナップボタン、マグネットと磁性体、などにより構成してもよい。
【００２１】
蓋体３は、図２で示すように、後面部３０の上端側に設けられていることに限定されず、例えば、前面部２０の上端側に設けられていてもよい。この場合、図２で示す係止部２５は、後面部３０の上方の左右方向中央付近に設けることでもよい。
【００２２】
底面部１０は、後面部３０の下端側に後面部３０に対して移動可能に設けられている。すなわち、底面部１０は、後面部３０の下端側の枠材３２に、下端側の枠材３２を中心に移動するように設けられている。底面部１０は、図２に示す、左右前後方向に延在した状態から、上下左右方向に延在して後面部３０にほぼ密着した状態まで移動することができるように構成されている。
【００２３】
底面部１０は、箱体２の下側において矩形を保持するために所定の剛性を有しており、樹脂などの軽量な素材で形成された板材であることが望ましい。ただし、軽量化のために、適宜、孔が設けられていてもよい。
【００２４】
底面部１０は、前面部２０の下端側に前面部２０に対して移動可能に設けられていてもよい。この場合、底面部１０は、前面部２０の下端側の枠材２２に、下端側の枠材２２を中心に移動するように設けられている。底面部１０は、図２に示す、左右前後方向に延在した状態から、上下左右方向に延在して前面部２０にほぼ密着した状態まで移動することができるように構成されている。
【００２５】
一対の側面部である第１側面部４０、第２側面部５０は、底面部１０に略垂直な前後の端部である前端部４７、５７及び後端部４８、５８を起点として箱体２の内側に移動し、前後方向の中途に底面部１０に略垂直に設けられたヒンジ部４５、５５が区画する前側部４３、５３と後側部４４、５４の外周側が向き合うように折り畳み可能に設けられている。
【００２６】
すなわち、第１側面部４０、第２側面部５０は、ヒンジ部４５、５５によって前側部４３、５３と後側部４４、５４の各２つの面になり、前端部４７、５７及び後端部４８、５８を起点としてヒンジ部４５、５５が箱体２の内側に入ってＶ字状になり、さらにこれらの２つの面が向き合い、ほぼ密着する状態になるまで折り畳み可能に設けられている。
【００２７】
ヒンジ部４５、５５は、前側部４３、５３と後側部４４、５４の各２つの面を連接し、これの２つの面を相互に移動可能にする要素である。例えば、蝶番や折り目のある板材などであってもよい。
【００２８】
また、ヒンジ部４５、５５は、一般にリビングヒンジと呼ばれる、樹脂パーツを破損せずに折り曲げられる薄いバンド形状にしてもよい。この場合、例えば、前端部４７、５７及び後端部４８、５８に設けられた第１側面部４０の前芯材４１及び後芯材４２、第２側面部５０の前芯材５１及び後芯材５２をそれぞれ一体成形し、ヒンジ部４５、５５の部分を薄く構成する。これにより、ヒンジ部４５、５５において第１側面部４０、第２側面部５０を折り曲げることができ、また、前芯材４１及び後芯材４２、前芯材５１及び後芯材５２が一体成形されているので、強度を向上することができる。
【００２９】
リビングヒンジを用いる場合には、ヒンジ部４５、５５、すなわち、第１側面部４０の前芯材４１及び後芯材４２、第２側面部５０の前芯材５１及び後芯材５２は、例えば、ポリプロピレン又はポリエチレンで形成してもよい。
【００３０】
図３から図１０は、本考案の実施形態に係る害鳥除けゴミ箱１の折り畳み方法を示す斜視図である。
図３から図１０を用いて、害鳥除けゴミ箱１の折り畳み方法を説明する。
【００３１】
図３は、箱体２の開口部５を蓋体３が覆っている状態を示している。図における方向は、図１で示す場合と同様である。
【００３２】
図４は、図３に示す状態から、蓋体３を開き、開口部５が開放された状態を示している。
蓋体３に設けられた被係止部３ａに対する前面部２０に設けられた係止部２５による係止を解き、後面部３０の後方に蓋体３を移動させて開いた状態である。
【００３３】
図５は、図４示す状態から、底面部１０をＢの方向に移動し、後面部３０と対向してほぼ密着する状態にしたものである。すなわち、底面部１０を、左右前後方向に延在した状態から、上下左右方向に延在して後面部３０にほぼ密着した状態まで移動した状態を示すものである。
【００３４】
図６は、図５示す状態から、第１側面部４０、第２側面部５０を、前端部４７、５７及び後端部４８、５８を起点として箱体２の内側に移動し、ヒンジ部４５、５５が区画する前側部４３、５３と後側部４４、５４の外周側が向き合うように折り畳みつつある状態を示している。すなわち、前端部４７、５７及び後端部４８、５８を起点としてヒンジ部４５、５５が箱体２の内側に入ってＶ字状になった状態を示している。これにより、前面部２０がＣの方向に移動して、後面部３０に近接した状態になる。
【００３５】
図５で示すように、底面部１０を後面部３０に密着した状態まで移動することで、底面部１０が箱体２の下側において矩形を保持しない状態になるため、図６で示すように、箱体２を折り畳んだ状態にすることができる。
【００３６】
図７において、害鳥除けゴミ箱１は、図１にある状態に対して前後、上下、左右が逆になった状態になっている。図７において、後面部３０が手前にある。
【００３７】
図７は、図６示す状態から、箱体２を更に折り畳んだ状態を示している。すなわち、箱体２は前面部２０、第１側面部４０、第２側面部５０の前側部４３、５３と後側部４４、５４、後面部３０がほぼ密着した状態になり、前面部２０と後面部３０が最も近接した状態になっている。
【００３８】
図８は、図７に示す状態において、蓋体３をＤの方向に移動して箱体２にほぼ密着した状態を示す図である。
【００３９】
図９は、図８示す状態から、蓋体３の被係止部３ａを箱体２の係止部３５に係止した状態を示している。これにより、箱体２を折り畳んだ状態に確実に保持することができる。図８に示すように係止部３５は後面部３０に設けられており、図２に示す前面部２０に設けられた係止部２５とは別に設けられたものである。なお、蓋体３の移動方向や被係止部３ａの長さ等を変えることにより、係止部２５、３５を一つのもので兼用するようにしてもよい。
【００４０】
このように、箱体２は、開いた状態及び折り畳んだ状態において蓋体３を係止する係止
部２５、３５を有している。このようにすることで、図３に示す開いた状態においては、蓋体３を箱体２に確実に係止して開口部５を覆い、害鳥等が害鳥除けゴミ箱１に収容されたゴミを散乱させる被害を確実に防止することができる。また、折り畳んだ状態においては、極めてコンパクトに折り畳んだ状態を確実に保持することができる。
【００４１】
図１０は、図９に示す状態の害鳥除けゴミ箱１を蓋体３の側から見た図である。図９、図１０に示すように、本実施形態に係る害鳥除けゴミ箱１は、折り畳んだ状態において非常にすっきりとした状態で、極めてコンパクトにすることができる。したがって、害鳥除けゴミ箱１は、折り畳んだ状態で持ち運びをすることが容易であり、保管する場合には、保管スペースを小さくすることができる。また、蓋体３によって箱体２を折り畳んだ状態に保持するので、持ち運ぶ際や保管する状態で箱体２が開いてしまうのを確実に防止することができる。
【００４２】
本実施形態に係る害鳥除けゴミ箱１は、一対の側面部である第１側面部４０、第２側面部５０を長くすることでその容量を大きくすることができる。すなわち、必要な容量に応じて、第１側面部４０、第２側面部５０の長さを適宜選択することができる。一方、折り畳んだ状態では、第１側面部４０、第２側面部５０の前側部４３、５３と後側部４４、５４、後面部３０が向き合うように重なってほぼ密着した状態になり、半分程度の長さになるので、第１側面部４０、第２側面部５０の長さの変更が、折り畳んだ状態の大きさにはあまり影響を与えず、コンパクトに折り畳むことができる。
【００４３】
このように、本考案によれば、大きな容量であるとともにコンパクトに折り畳むことができる害鳥除けゴミ箱１を提供することができる。
【００４４】
以上、具体的な実施形態に基づいて本考案を説明してきたが、本考案は上記実施形態に限定されるものではなく、適宜、変形や改良を実施しても良い。
【００４５】
このように、本考案は、具体的な実施形態に限定されるものではなく、適宜、変形や改良を施したものも本考案の技術的範囲に含まれるものであり、そのことは、当業者にとって実用新案登録請求の範囲の記載から明らかである。
【符号の説明】
【００４６】
１      害鳥除けゴミ箱
２      箱体
３      蓋体
３ａ    被係止部
５      開口部
１０    底面部
２０    前面部
２２    枠材
２４    芯材
２５    係止部
３０    後面部
３２    枠材
３４    芯材
３５    係止部
３６    上端部
３７    下端部
４０    第１側面部
４１    前芯材
４２    後芯材
４３    前側部
４４    後側部
４５    ヒンジ部
４７    前端部
４８    後端部
５０    第２側面部
５１    前芯材
５２    後芯材
５３    前側部
５４    後側部
５５    ヒンジ部
５７    前端部
５８    後端部
【図１】
0003231297.tif 000003
【図２】
0003231297.tif 000004
【図３】
0003231297.tif 000005
【図４】
0003231297.tif 000006
【図５】
0003231297.tif 000007
【図６】
0003231297.tif 000008
【図７】
0003231297.tif 000009
【図８】
0003231297.tif 000010
【図９】
0003231297.tif 000011
【図１０】
0003231297.tif 000012